(57)【要約】【課題】加湿と除湿及び消臭並びに冷暖房を行なう機構を一元化した加除湿・冷暖房システムであり、室内の各種条件等に合わせて微細化水粒子とした噴霧状の水により室内を加湿及び除湿をコントロールし、同時に冷暖房を行なうシステムである。【解決手段】加除湿装置、暖房装置及び冷房装置とよりなり、加除湿装置は微細化水粒子を噴出する手段を備え、暖房装置は床暖房手段とし、冷房装置は室内の上方部に備えてなり、室内空間の加湿、除湿、消臭、暖房及び冷房を電源制御盤によりコントロールしてなることを特徴とする加除湿・冷暖房システム。【選択図】図２
2006275383.tif 000002
【特許請求の範囲】
【請求項１】
加除湿装置、暖房装置及び冷房装置とよりなり、加除湿装置は微細化水粒子を噴出する手段を備え、暖房装置は床暖房手段とし、冷房装置は室内の上方部に備えてなり、室内空間の加湿、除湿、消臭、暖房及び冷房を電源制御盤によりコントロールしてなることを特徴とする加除湿・冷暖房システム。
【請求項２】
室内空間の快適湿度及び温度を予め設定して電源制御盤に記憶しておき、該室内空間に配置した湿度センサー及び温度センサーにより、該室内空間の湿度及び温度を計測し、該設定湿温度と実測湿温度を比較し、同一となるように電源制御盤により制御し、該制御した湿度及び温度を室内空間湿温度としたことを特徴とする加除湿・冷暖房システム。
【請求項３】
加除湿装置における加湿手段は、水補給装置から供給される水を細粒子化するノズルと、該ノズルから噴出される水粒子の噴出方向を相互に衝突する方向とし、該水粒子を上記衝突並びに側壁及び傾斜板等への衝突により微細化水粒子とし、該微細化水粒子を該側壁、傾斜板等の内壁によって囲まれた微細化水粒子浮遊空間より室内空間へ噴出する構造としたことを特徴とする請求項１又は２に記載の加除湿・冷暖房システム。
【請求項４】
加除湿装置における加湿手段は、水補給装置から供給される水を細粒子化する複数のノズルと、該ノズルの噴出口はそれぞれが衝突物体に相対向するように互いに間隔をもって連設し、該水粒子を該衝突物体への衝突により微細化水粒子とし、該微細化水粒子を室内空間へ噴出する構造としたことを特徴とする請求項１又は２に記載の加除湿・冷暖房システム。
【請求項５】
加除湿装置における除湿手段は、内部に吸引ファンを設け、該吸引ファンにより塵芥、雑菌、臭い等を含む微細化水粒子を吸込口より冷却コイルを介して吸引し、浄化された空気と汚染水とに分離し、浄化された空気は室外へ排出し、汚染水は排水タンク内へ一時的に貯留し漸次排出回収することを特徴とする請求項１ないし４のいずれかに記載の加除湿・冷暖房システム。
【発明の詳細な説明】
【技術分野】
【０００１】
本発明は、病院、保健施設、喫煙所等における施設の室内における湿度調整、消臭及び冷暖房を総合的にコントロールすることのできる加除湿・冷暖房システムに関する。
詳しくは、加湿と除湿及び消臭並びに冷暖房を行なう機構を一元化した加除湿・冷暖房システムであり、室内の各種条件等に合わせて微細化水粒子とした噴霧状の水により室内を加湿及び除湿をコントロールし、同時に冷暖房を行なうシステムである。
【背景技術】
【０００２】
従来、各種施設の室内を加湿する加湿装置は、主に水の噴霧量のみを調整して吐出が行なわれ、噴霧水の粒径への配慮がなく、１００μｍ〜３００μｍ程度の水粒子が吐出され、当該加湿装置吐出口周辺へ大水粒径の粒子が飛散し、雑菌の温床の様子を呈していた。また、局所的に高湿度であったり、低湿度であったり、同一室内において均衡の取れた精度の高い効率的な加湿を得るための安定した機能を有する加湿装置が無かった。
【０００３】
更に、除湿装置においても、室内全体の状況を高い精度で把握して除湿を行なうものは無く、ごく限られた範囲での状況を基に除湿が行われていた。その結果、均衡の取れた良好な湿度を維持する室内環境を得る事ができないのが現状技術の実態であった。
【０００４】
また、消臭手段としては、室内の通風をよくするか或いは活性炭等の吸着手段により局所的に臭い成分を吸着する等の方法が採用されていた。
【０００５】
更に、暖房装置にも各種のものが採用され、今日、床暖房が最良のものとされ、温水循環式床暖房システムでは、ガス炊き給湯器や深夜電力を利用した蓄熱式温水器による温水を、床暖房用の熱交換器内に送って循環させることによって、床暖房を行っている。このように暖房装置は加除湿装置とは無関係に単独で機能しているものであった。特開平２−２２５９２４号公報に示すように、蓄熱槽と室内放熱器及び蓄熱床暖房マットを２次側熱媒体を介して直列に接続し、蓄熱式床暖房と蓄熱式空調システムとの一体化を図ったものが開示されているのみであった。
【０００６】
また、冷房装置は、上記床暖房システムの場合には該床暖房とは別途の手段であるエアコン等により、室内を冷却する方法が採用されている。
【特許文献１】特開２００４−２１１９２６号公報
【発明の開示】
【発明が解決しようとする課題】
【０００７】
上記のように、従来のものは加除湿手段、消臭手段及び暖房手段や冷房手段とが各々個別に対応しているものであり、室内の湿度と温度及び消臭の制御とが一元化されておらず、室内を快適な環境とするには各々を個別に制御する必要があり困難を要していた。
【０００８】
本発明は、上記従来の技術が有する個別対応による室内環境の設定に鑑み、当該問題点を解決するために成されたものである。上記問題点を解決するため、下記する構造を採用するものである。
加除湿及び消臭効果を向上させる目的で細粒化水粒子を噴霧する加湿・消臭のための噴霧水発生手段としての加湿装置、該噴霧水を回収して除湿を行なう除湿装置、該除湿水を一時的に貯留する貯留槽及び新鮮水補給装置とより構成し、更に、室内を快適に暖房することを目的として電気式床暖房装置及びダクト形式による冷房装置とを構成している。本発明は、上記加除湿及び消臭並びに温度調整とを一元化したものである。
【課題を解決するための手段】
【０００９】
本発明は、以下の構成を有するものである。
すなわち、本発明は、加除湿装置、暖房装置及び冷房装置とよりなり、加除湿装置は微細化水粒子を噴出する手段を備え、暖房装置は床暖房手段とし、冷房装置は室内の上方部に備えてなり、室内空間の加湿、除湿、消臭、暖房及び冷房を電源制御盤によりコントロールしてなる加除湿・冷暖房システムを特徴とする。
【００１０】
また、室内空間の快適湿度及び温度を予め設定して電源制御盤に記憶しておき、該室内空間に配置した湿度センサー及び温度センサーにより、該室内空間の湿度及び温度を計測し、該設定湿温度と実測湿温度を比較し、同一となるように電源制御盤により制御し、該制御した湿度及び温度を室内空間湿温度とした加除湿・冷暖房システムを特徴とする。
【００１１】
更に、加除湿装置における加湿手段は、水補給装置から供給される水を細粒子化するノズルと、該ノズルから噴出される水粒子の噴出方向を相互に衝突する方向とし、該水粒子を上記衝突並びに側壁及び傾斜板等への衝突により微細化水粒子とし、該微細化水粒子を該側壁、傾斜板等の内壁によって囲まれた微細化水粒子浮遊空間より室内空間へ噴出する構造とした加除湿・冷暖房システムを特徴とする。
【００１２】
また、加除湿装置における加湿手段は、水補給装置から供給される水を細粒子化する複数のノズルと、該ノズルの噴出口はそれぞれが衝突物体に相対向するように互いに間隔をもって連設し、該水粒子を該衝突物体への衝突により微細化水粒子とし、該微細化水粒子を室内空間へ噴出する構造とした加除湿・冷暖房システムを特徴とする。
【００１３】
更に、加除湿装置における除湿手段は、内部に吸引ファンを設け、該吸引ファンにより塵芥、雑菌、臭い等を含む微細化水粒子を吸込口より冷却コイルを介して吸引し、浄化された空気と汚染水とに分離し、浄化された空気は室外へ排出し、汚染水は排水タンク内へ一時的に貯留し漸次排出回収する加除湿・冷暖房システムを特徴とする。
【発明の効果】
【００１４】
本発明は、加除湿、床暖房及び冷房の調整を一元化したものであり、それにより室内空間の湿度、消臭及び冷暖房の全てをコントロールし、快適な住空間とすることを可能とした。
【００１５】
また、暖房手段として床暖房を採用することにより、足元から輻射熱によりじんわりやさしく暖房することができ、湿度環境と併せ頭寒足熱型の快適室内空間を得ることが可能となった。
【００１６】
更に、室内空間に噴出される微細化水粒子は、室内空間の隅々まで行き渡り、従来乾燥することが多かった室内空間全体を最適な湿度環境とし、肌も潤う快適な環境とすることが可能となった。
【００１７】
また、微細化水粒子を室内空間に噴出することにより、アンモニア態窒素粒子及びアミノ酸態窒素粒子等に代表される臭気成分と吸着・結合をし、更に、大腸菌群も捕捉することができ、院内感染を防止し、浄化された室内空間を得ることが可能となった。
【発明を実施するための最良の形態】
【００１８】
以下、本発明の実施の形態を実施例に基づき図面を参照して説明する。
【実施例１】
【００１９】
図１は本発明の実施例１による室内空間における加除湿・冷暖房システムの概略構成図、図２は該加除湿・冷暖房システムの詳細を示す図である。
【００２０】
図１、２において、１は加除湿装置を示し、該加除湿装置１は、単層或いは多層建築における当該階の天井２と上階床（建築物躯体）３との間に形成される天井内空間４に設置或いは配管を設置する。５は対象空間を示す室内空間である。加除湿装置１は、送風機等の送風手段６、水供給手段７、ダンパ等の通風切換手段８からなり、ダクト９を介し室内空間５方向へ向けられた天井２面に室内側吹出口１０に接続される。これにより微細化水粒子は加除湿装置１よりダクト９を通じて室内空間５へ噴出されることになる。また、天井２には、室内空間５の空気を天井内空間４のダクト１１を通じて送風手段１２によって外部へ排気する吸込口１３が設置されている。
【００２１】
１４は床３内に配置される電気式床暖房装置、１５は天井内空間４に設置或いは配管する冷房装置、１６は該冷房装置１５による冷風をダクト１７を通じて室内空間５に送出させる吐出口である。
【００２２】
上記加除湿装置１、電気式床暖房装置１４及び冷房装置１５は、電源制御盤１８によってコントロールされることになる。
【００２３】
１９は室内空間５の湿度を検出する湿度センサー、２０は室内空間５の温度を検出する温度センサーである。上記湿度及び温度センサー１９、２０からの入力と、予め設定された室内空間５の快適空間の湿度及び温度とをコントローラにより比較調整し、電源制御盤１８に伝達する。上記により、加除湿装置１、暖房装置１４及び冷房装置１５を電源制御盤１８により制御し、設定した湿度と温度へ調整することになる。
【００２４】
以下、加除湿装置１、電気床暖房装置１４及び冷房装置１５に沿って説明する。
図３は、該加除湿装置１の実施例を示すもので、図３（ａ）に示す加湿装置２１は、上記した送風手段６、水供給手段７、通風切換手段８の他に、該水供給手段７より送出されるノズルによる噴霧水同士を加湿装置２１内の空中において衝突させるもので、更に、噴霧水を側壁２２に衝突させることにより再破砕させ、再破砕後に残った大粒径水粒を底面となる傾斜板２３及び周壁２４へ衝突させることによる衝撃で再々破砕して該大粒径水を除去し、空間２５において８μｍ以下の水粒径の比率を向上させる構造を有する加湿装置２１である。
【００２５】
上記水粒子成製室空間２５内上部には、噴霧水の空中衝突を可能とするために斜め下方へ向け対向設置した噴霧ノズル２６、２７を構成し、該噴霧ノズル２６、２７より噴霧水を噴出させることにより空中衝突を行なわせ、水粒の破砕を行ない、衝突による合成分力により噴霧水流を下方へ導き、傾斜板２３への衝突による衝撃力をもって噴霧水の再破砕を行ない、噴霧ノズル２６、２７からの噴出時点では８〜１６％であった８μｍ以下の水粒子の量を、空中衝突により３０〜４３％へとその量を増加させることが可能となった。更に、傾斜板２３への衝突による衝撃による再破砕効果により４０〜４６％へと増加させると共に、８μｍ以上の大粒径の凡そ７３％を新鮮水補給装置２８へ戻り水として除去回収する構造としている。上記により、必要とする８μｍ以下の微細化水粒子の量を増加させる事を可能とし、コンプレッサーにより０．２ｍ/ｓｅｃ〜０．３ｍ/secの速度で噴霧水を噴出して加湿消臭を行なうものである。
【００２６】
同様に、必要に応じ、水粒径１５μｍ〜５５μｍ径程度を範囲基準とする大水粒子噴霧ノズルの設置を可能とし、加湿水粒子域となる１０μｍ以下〜３０μｍ範囲、アンモニア態窒素粒子及びアミノ酸態窒素粒子等の悪臭要因粒子に対応する消臭効果向上域及び大腸菌を筆頭とする浮遊雑菌捕捉に効果がある領域の８μｍ以下〜最大１８μｍ範囲等の各水粒子域となる８μｍ以下〜最大５５μｍ範囲の微細化水粒子を自在に成製して噴出する構造を兼ね備えた加湿装置２１である。
【００２７】
図３（ｃ）は噴霧ノズルの他の実施例を示すもので、符号２６ａは、加湿装置における１流体ノズルを構成するところの加圧水噴出用ノズルであり、該加圧水噴出用ノズル２６ａは、図に示すように、複数のノズル部２６ｂが、略矩形枠状の筐体２６ｃ下面側に直列に連続するように一体成形されている。
【００２８】
このような筐体２６ｃに対する複数のノズル部２６ｂの一体化構造は、例えばＮＣマシニング加工や金型ダイカスト、鋳物等の金属鋳造方式を使って形成される。
【００２９】
また、筐体２６ｃの開口部側両端には、Ｌ字突片状の取付面部２６ｄが形成されており、筐体２６ｃの開口部側を、加湿装置に内設された加圧水供給用の給水口２６ｅを覆うようにして、筐体２６ｃの取付面部２６ｄを給水口２６ｅの周辺面部にあてがってから、例えばＯリング又はパッキン等の水密封止部材２６ｆを介してネジ止め２６ｇ等によって固定されるようにしている。
【００３０】
そして、これら複数のノズル部２６ｂの先端内部においてテーパ状内壁部２６ｈを介して中央に噴出口２６ｉが穿設され、該噴出口２６ｉのそれぞれが、下方において横向きに架設させた円柱体状の衝突物体Ｑに沿って相対向して配置されるようにしている。
【００３１】
この噴出口２６ｉは、加圧水噴出用ノズル２６ａの筐体２６ｃの取り付けに際し、テーパ状内壁部２６ｈによって囲まれた中央薄肉部分を、キリ等によって任意の口径に切削することで当該噴出口２６ｉが形成できるようにしている。
【００３２】
更に、図３（ｄ）は、噴霧ノズルの他の実施例を示すもので、加圧水噴出用ノズル２６ａは、略円形枠状の筐体２６ｃの下面側を内側、すなわち開口部側へ向けて円弧状に窪ませることにより凹部２６ｊが形成されている。そして、この凹部２６ｊには、複数のノズル部２６ｂが互いに等間隔に配置されるようにして形成されている。
【００３３】
これら複数のノズル部２６ｂの先端内部においてテーパ状内壁部２６ｈを介して中央に噴出口２６ｉが穿孔形成され、該噴出口２６ｉのそれぞれが、下方において固設させた球体状の衝突物体Ｑに等間隔で相対向して配置されるようにしている。
【００３４】
すなわち、筐体２６ｃの下面側において凹部２６ｊを形成する球状の内壁面と、球体状の衝突物体Ｑの表面との間隔は常に同じ距離となるように、球状の内壁面の対称中心位置に衝突物体Ｑの球の中心が位置するように配置されている。なお、Ｐは貯水槽を示している。
【００３５】
このようにして、加圧水噴出用ノズル２６ａにおけるノズル部２６ｂの噴出口２６ｉから例えば水圧力約２ＭＰａ前後、レイノルズ数約１３０００前後の加圧水を噴出落下させて勢いよく衝突物体Ｑの表面上に衝突させることで１００μｍ程度の水の粉砕粒子を形成しておいてから、この水の粉砕粒子を任意の助走区間を通過させることで５〜１０μｍ程度の噴霧状微細化してから外部に噴出させるようにしている。
【００３６】
他方、除湿装置２９は、図３（ｂ）に示すように上記加湿装置２１に連結一体化されているもので、該加湿装置２１から室内空間５に噴出された微細化水粒子を室内空気とともに吸引する装置である。
除湿装置２９は、吸込口１３より排気手段となる吸引ファンの吸引力により吸引した空気及び汚染粒子を捕捉した微細化水粒子を除湿フィン３０より冷却コイルを介して冷却し、それらの水粒子は除湿水受け皿及び排水管を通じて貯留槽３１に貯留し、同時に、空気は浄化されて該吸引ファンの吸引力により排気口より外部へ排出される。
【００３７】
上記貯留槽３１に溜まった雑菌等の汚染粒子を含む回収水は、抜き取りポンプの作動により漸次貯留槽３１外へ排出される。
該貯留槽３１内には紫外線を使用した殺菌灯を設置し、該殺菌灯を点灯させることにより回収水に含まれる雑菌等の繁殖を防止することができる。
【００３８】
除湿により清浄化された空気は、排気手段１２の排気側より排気されたり、通気口３２を通り、加湿装置２１で成製された微細化水粒子と共にダクト９を経由し再び噴霧水を噴出する室内側吹出口１０より噴霧水と共に吐出される。この工程が連続して繰り返されることにより、室内は快適な湿度環境が維持され、且つ環境衛生面での向上を推進することができる。
【００３９】
暖房装置１４は、床内に配設され、深夜電力時間帯の運転時には、電源制御盤１８をそのまま稼動させて床に埋設されたコイルを加熱し、床３に面した空気が加熱され温風となり、室内空間５を加温することになる。
【００４０】
他方、深夜電力時間帯以外の昼間に行われる暖房運転時には、電源制御盤１８の制御により深夜電力時間帯で蓄積された熱源を稼動させ、コイルを加熱して床３を暖めることになる。ここで、温度センサー２０により検出された室内温度がユーザーにより予め設定された室内温度となる電源制御盤１８に記憶した設定温度に達しない場合、すなわち床３の温度が低下した場合には、熱交換器等を稼動させ追焚運転を行う。
逆に、設定温度以上となっている場合には冷房装置１５を稼動させ、室内空間５の温度を下げる制御をすることになる。
【００４１】
暖房運転の場合には、床３に蓄熱するので、必然的に床面温度が上昇し、床暖房の効果が出ることになる。平均輻射温度が１ｄｅｇ高ければ、室温が１ｄｅｇ低くても同じＰＭＶ値を示し、同じ体感を得ることができることになる。
【００４２】
上記の温度センサー２０により検出した室内温度から体感温度を演算する。ここで、暖房運転の場合は平均輻射温度を室内温度に置き換えて体感温度を演算することができる。
【００４３】
この演算された体感温度と設定温度とを比較し、体感温度と設定温度が同じになるように、送風手段を制御する。なお、上記の体感温度はＰＭＶからでも、標準有効温度等の他の快適性指標からでもよい。
【００４４】
以上のように、実施例１によれば、室内空間５の湿度と温度の両方を検知し、快適な湿度と体感温度を演算し、体感温度を一定に制御することができるので、体感温度の変動の少ない快適性の高い湿度及び冷暖房空間を実現でき、暖房運転において床面温度が高い場合には室温を低めに制御するので、暖めすぎによる無駄もなく省エネルギー性の高い運転が可能となる。
【００４５】
また、冷房運転においても室温と平均輻射温度の両方を検知し体感温度を一定に制御するので、快適性の高い冷房空間を実現でき、平均輻射温度が低い場合には室温を高めに制御するので、冷やしすぎによる無駄もなく省エネルギー性の高い運転が可能となる。
【００４６】
上記湿度と温度との設定は室内空間をどのように利用するかによって異なるものであるが、例えば、４６０ｍ２、５０床の病院における透析室の場合、呼吸の安定性、脱臭、除塵、加湿及び最適温度を必要とすることになるので、特に湿度と温度とが一定値を保つことが要求される。本実施例では湿度４８％、温度２４℃に設定した。
本発明により、室内空間全体を上記設定値に常に保つことが可能となった。
また、室内空間の加除湿装置による気流は、図４（ｃ）に示した流れとなる。
【実施例２】
【００４７】
次に、実施例２における加除湿・冷暖房装置は、加除湿装置３３を図４（ａ）に示すように加湿装置３４と除湿装置３５とに分離し、加湿装置３４は新鮮水補給装置を内包し、外面頂部に噴霧水吐出口と側面か背面に補給水配管口を有し、除湿装置３５は、除湿水を一時的に貯留する貯留槽を内包し、外面上方部に吸引回収用開口、外面頂部に吸排気ファンの排気口と連続する送風口、外面下部に設けた補給水接続口及び電源供給配線用開口並びに貯留水排出口を外側面各位置に設けている。
本実施例２における加除湿・冷暖房システムにおける加除湿装置は、上記のように分離して室内に設置することもできるし、図４（ｂ）に示すように除湿装置３５上に加湿装置３４を嵌合、係合等により連結して一体として使用することも可能である。例えば、除湿装置３５の上端周縁部に段部を形成し、他方、加湿装置３４の底部周縁部に突出部を形成し、両者を嵌合することにより連結することができる。
加湿装置３４と除湿装置３５とを床置式とすることにより、室内の最適な場所に設置することができ、常設設備やベッド或いは小型の箪笥等の障害物による気流停滞箇所の発生を防止し、速やかに均一な加除湿・消臭環境を提供することが可能である。
【００４８】
上記構成による実験結果を、図４（ａ）の室内空間の気流図により説明する。
図４（ａ）は、分離した加除湿装置を室内の対向面に設置した気流図を示している。設置場所の状況に合わせて加湿装置３４と吸引回収のための除湿装置３５とを別々に配置し、最も効果的な場所にそれらを配置することを可能としたものである。
噴霧する加湿装置３４の頂部より０．２ｍ/sec〜０．４５ｍ/secで噴霧水を噴出させながら除湿装置３５の吸引により整流域を形成し、対向設置した除湿装置３５の上面に内包設置した吸排気ファンの送風口からは、室内の上方へ向けて０．２ｍ/sec〜０．３ｍ/secの速度で除湿した空気の吐出を行なっている。それにより、当該室内におけるレイノルズ係数を上昇させ、小規模乱流を積極的に発生させる事ができ、滞流域を無くし、室内を均一な加湿と消臭効果が達成できる空間とすることが可能となった。
なお、暖房装置及び冷房装置は実施例１と同様である。
【００４９】
上記実施例１、２の加除湿装置を設置した病院内における実証実験の結果は、以下の通りであった。
一般病室において、設置前の状態では、湿度３２％、アンモニア態窒素量０．００８ｍｇ／Ｌ、アミノ酸態窒素量０．００２ｍｇ／Ｌ、大腸菌郡８個／ｍＬに対し、設置後において上記状態の噴霧水の噴出及び回収により、湿度は４１％となり９％の湿度向上改善が成され、臭気成分であるアンモニア態窒素量は０．００１ｍｇ／Ｌ以下となり８７．５％の減少改善が成され及びアミノ酸態窒素量は０．００１ｍｇ／Ｌ以下となり５０％の減少改善が成され、大腸菌郡においては４個／ｍＬと半減した。この実験の結果、湿度の向上及び汚染粒子の捕捉に大きな効果を有することが明らかとなった。
【００５０】
また、本実施例１、２における微細化水粒子を横３ｍ×縦４ｍ×高さ２．５ｍの室内空間に噴出し、加湿装置から最も遠い地点における室内の隅をイオン計測器でマイナスに荷重した粒子の濃度と湿度を同時に経時的に測定した。その結果は、図５に示す通りであった。
【００５１】
上記実験により、加湿装置を稼動してから３０秒程度でマイナスイオン濃度は上昇し始め、３分後で飽和に達する。これに対し、相対湿度は徐々に上昇する。この両者の傾向は、初期の相対湿度が３０％（乾燥した状態）のときも６０％（比較的湿った状態）のときも同様であった。また、換気を作用させた状態でも同様であった。
【００５２】
マイナスイオン濃度の飽和状態から微細化水粒子を室内空間に吐出すると短時間に該室内空間中に拡散し、すぐには蒸発しなかった。これに対し、相対湿度は拡散した微細化水粒子の粒子が徐々に蒸発することになるので、緩やかに上昇すると考えられる。上記結果から、室内空間に供給された微細化水粒子は、速やかに室内空間に回り、以後、徐々に加湿に貢献することが判断できる。上記加湿の過程においても微細化水粒子が滞留し続けていることも明らかとなった。
【図面の簡単な説明】
【００５３】
【図１】本発明の加除湿・冷暖房システムの概略説明図である。
【図２】同詳細断面図である。
【図３（ａ）】本発明の加湿装置の断面図である。
【図３（ｂ）】本発明の加湿装置と除湿装置とを組み合わせた側断面図である。
【図３（ｃ）】本発明を実施するための最良の形態におけるノズル構造の概略を示す断面図である。
【図３（ｄ）】同じくノズル構造の他の実施例を示す断面図である。
【図４（ａ）】加除湿装置の個別設置式タイプの室内の気流状態を示す側断面図である。
【図４（ｂ）】加除湿装置の一体化設置式タイプの室内の気流状態を示す斜視図である。
【図４（ｃ）】加除湿装置の天井設置式タイプの室内の気流状態を示す斜視図である。
【図５】相対湿度とマイナスイオン濃度との関係を示すグラフである。
【符号の説明】
【００５４】
１          加除湿装置
２          天井
３          床
４          天井内空間
５          室内空間
６          送風手段
７          水供給手段
８          通風切換手段
９          ダクト
１０          室内側吹出口
１１          ダクト
１２          排気手段
１３          吸込口
１４          電気式床暖房装置
１５          冷房装置
１６          吐出口
１７          ダクト
１８          電源制御盤
１９          湿度センサー
２０          温度センサー
２１          加湿装置
２２          側壁
２３          傾斜板
２４          周壁
２５          空間
２６、２７    噴霧ノズル
２６ａ        加圧水噴出用ノズル
２６ｂ        ノズル部
２６ｃ        筐体
２６ｄ        取付面部
２６ｅ        給水口
２６ｆ        水密封止部材
２６ｇ        ネジ止め
２６ｈ        テーパ状内壁部
２６ｉ        噴出口
２６ｊ        凹部
２８          新鮮水補給装置
２９          除湿装置
３０          除湿フィン
３１          貯留槽
３２          通気口
３３          加除湿装置
３４          加湿装置
３５          除湿装置
Ｐ          貯水槽
Ｑ          衝突物体
【図１】
2006275383.tif 000003
【図２】
2006275383.tif 000004
【図３（ａ）】
2006275383.tif 000005
【図３（ｂ）】
2006275383.tif 000006
【図３（ｃ）】
2006275383.tif 000007
【図３（ｄ）】
2006275383.tif 000008
【図４（ａ）】
2006275383.tif 000009
【図４（ｂ）】
2006275383.tif 000010
【図４（ｃ）】
2006275383.tif 000011
【図５】
2006275383.tif 000012